(57)【要約】【課題】簡便な構成で横幅調整機構、横幅調整動力伝達機構、横幅調整動力伝達機構を備えた巻き取り機構及び横幅調整動力伝達機構を備えた送り機構を提供する。【解決手段】回転軸の横幅調整機構であって、回転運動と直線運動の変換のための台形ネジ軸１と、内径にネジ切りされた歯車２と、内径にネジ切りされていない歯車３と、円筒状でネジ切りされたかなめ４とを備え、内径にネジ切りされていない歯車３はかなめ４と離合する連結部５を備え、連結部５がかなめ４と離合するように構成され、歯車２の位置によって規定される台形ネジ軸１の横幅位置を変更するために、かなめ４は歯車３を回転させることにより歯車２との位置関係を変更することが出来、かなめ４及び歯車３が歯車２と離間した状態で歯車２を回転させることにより歯車２の位置によって規定される台形ネジ軸１の横幅位置を調整することが出来、かなめ４が歯車２と密着した状態で歯車３を回転させることにより横幅位置を変更することなく台形ネジ軸１を回転させることが出来るようにした。【選択図】図１
2018194010.tif 000002
【特許請求の範囲】
【請求項１】
回転軸の横幅調整機構であって、
回転運動と直線運動の変換のための台形ネジ軸１と、
内径にネジ切りされた歯車２と、
内径にネジ切りされていない歯車３と、
円筒状でネジ切りされたかなめ４とを備え、
該内径にネジ切りされていない歯車３は該かなめ４と離合する連結部５を備え、
該連結部が該かなめ４と離合するように構成され、
該歯車２の位置によって規定される該台形ネジ軸１の横幅位置を変更するために、
該かなめ４は該歯車３を回転させることにより該歯車２との位置関係を変更することが出来、
該かなめ４及び該歯車３が該歯車２と離間した状態で該歯車２を回転させることにより該歯車２の位置によって規定される該台形ネジ軸１の横幅位置を調整することが出来、
該かなめ４が該歯車２と密着した状態で該歯車３を回転させることにより横幅位置を変更することなく該台形ネジ軸１を回転させることが出来ることを特徴とする、
回転軸の横幅調整機構。
【請求項２】
回転軸の横幅調整機構であって、
回転運動と直線運動の変換のための台形ネジ軸１と、
内径にネジ切りされた歯車２と、
内径にネジ切りされていない歯車３と、
円筒状でネジ切りされたかなめ４とを備え、
該内径にネジ切りされていない歯車３は該かなめ４と離合する連結部５を備え、
該連結部が該かなめ４と離合するように構成され、
該歯車２の位置によって規定される該台形ネジ軸１の横幅位置を変更するために、
該かなめ４は該歯車３を回転させることにより該歯車２との位置関係を変更することが出来、
該かなめ４及び該歯車３が該歯車２と離間した状態で該歯車２を回転させることにより該歯車２の位置によって規定される該台形ネジ軸１の横幅位置を調整することが出来、
該かなめ４が該歯車２と密着した状態で該歯車３を回転させることにより横幅位置を変更することなく該台形ネジ軸１を回転させることが出来る回転軸の横幅調整機構を、
ひとつの該台形ネジ軸１に嵌合して、位置関係が反転し且つ該歯車２が内側に来るように配設された２つの機構を備えることを特徴とする、
回転軸の横幅調整機構。
【請求項３】
該台形ネジ軸１は、
三角ネジ、角ネジ、台形ネジ或いはボールネジのいずれかであることを特徴とする、
請求項１又は２記載の回転軸の横幅調整機構。
【請求項４】
該台形ネジ軸１は、
金属製又はプラスチック製であることを特徴とする、
請求項１乃至３の何れか一に記載の回転軸の横幅調整機構。
【請求項５】
該台形ネジ軸は、
スチール製、ステンレス製或いは黄銅製であることを特徴とする、
請求項４記載の回転軸の横幅調整機構。
【請求項６】
該歯車２及び／又は該歯車３は、
平歯車、はすば歯車或いはやまば歯車のいずれかであることを特徴とする、
請求項１乃至５の何れか一に記載の回転軸の横幅調整機構。
【請求項７】
該歯車２及び／又は該歯車３は、
金属製又はプラスチック製であることを特徴とする、
請求項６記載の回転軸の横幅調整機構。
【請求項８】
該歯車２及び／又は該歯車３は、
機械構造用炭素鋼、機械構造用合金鋼、一般構造用圧延鋼材、ねずみ鋳鉄、球状黒鉛、ステンレス鋼、非鉄金属、ＭＣナイロン、ポリアセタール或いはＡＢＳ樹脂のいずれかにより構成されたことを特徴とする、
請求項７記載の回転軸の横幅調整機構。
【請求項９】
該歯車２及び／又は該歯車３の内径は、
該台形ネジ軸１に嵌合することを特徴とする、
請求項６乃至８の何れか一に記載の回転軸の横幅調整機構。
【請求項１０】
該歯車２及び／又は該歯車３への動力伝達機構は、
歯車、ベルト・プーリ又はチェーン・スプロケットの何れかであることを特徴とする、
請求項１乃至９の何れか一に記載の回転軸の横幅調整機構。
【請求項１１】
該歯車２及び／又は該歯車３への動力伝達機構は、
ベルト・プーリであって、
該ベルト・プーリに用いるベルトはタイミングベルト、丸ベルト或いはＶベルトの何れかであることを特徴とする、
請求項１０記載の回転軸の横幅調整機構。
【請求項１２】
該歯車３に備えられる連結部は、
柱状であることを特徴とする、
請求項１乃至１１の何れか一に記載の回転軸の横幅調整機構。
【請求項１３】
該歯車３に備えられる連結部は、
円柱、三角柱、四角柱或いは六角柱であることを特徴とする、
請求項１２記載の回転軸の横幅調整機構。
【請求項１４】
該歯車３に備えられる連結部は、
複数備えられることを特徴とする、
請求項１乃至１３の何れか一に記載の回転軸の横幅調整機構。
【請求項１５】
該かなめ４は、
円形であることを特徴とする、
請求項１乃至１４の何れか一に記載の回転軸の横幅調整機構。
【請求項１６】
該かなめ４は、
金属製又はプラスチック製であることを特徴とする、
請求項１乃至１５の何れか一に記載の回転軸の横幅調整機構。
【請求項１７】
該かなめ４は、
機械構造用炭素鋼、機械構造用合金鋼、一般構造用圧延鋼材、ねずみ鋳鉄、球状黒鉛、ステンレス鋼、非鉄金属、ＭＣナイロン、ポリアセタール或いはＡＢＳ樹脂のいずれかにより構成されたことを特徴とする、
請求項１６記載の回転軸の横幅調整機構。
【請求項１８】
該歯車３に備えられる連結部は、
円筒に一部突出を備えた構造であり、
該かなめ４は外周部に該歯車３に備えられる突出部に対応した凹部を備えることを特徴とする、
請求項１乃至１１の何れか一に記載の回転軸の横幅調整機構。
【請求項１９】
横幅調整動力伝達機構であって、
該横幅調整動力伝達機構は請求項１乃至１８の何れか一に記載の回転軸の横幅調整機構を備え、
該台形ネジ軸１を回転させることにより動力を回転運動として伝達することを特徴とする、
横幅調整動力伝達機構。
【請求項２０】
横幅調整動力伝達機構を備えた巻き取り機構であって、
該横幅調整動力伝達機構は請求項１乃至１８の何れか一に記載の回転軸の横幅調整機構を備え、
該台形ネジ軸１を回転させることにより動力を回転運動として伝達する横幅調整動力伝達機構を備えることを特徴とする、
横幅調整動力伝達機構を備えた巻き取り機構。
【請求項２１】
農業用ビニールハウスに用いられる横幅調整動力伝達機構を備えた巻き取り機構であって、
該横幅調整動力伝達機構は請求項１乃至１８の何れか一に記載の回転軸の横幅調整機構を備え、
該台形ネジ軸１を回転させることにより動力を回転運動として伝達する横幅調整動力伝達機構を備えることを特徴とする、
横幅調整動力伝達機構を備えた巻き取り機構。
【請求項２２】
農業用寒冷紗の可動機構に用いられる横幅調整動力伝達機構を備えた巻き取り機構であって、
該横幅調整動力伝達機構は請求項１乃至１８の何れか一に記載の回転軸の横幅調整機構を備え、
該台形ネジ軸１を回転させることにより動力を回転運動として伝達する横幅調整動力伝達機構を備えることを特徴とする、
横幅調整動力伝達機構を備えた巻き取り機構。
【請求項２３】
製紙工程、金属圧延工程、織物製造工程或いはプラスチックフィルム製造工程に用いられる横幅調整動力伝達機構を備えた巻き取り機構であって、
該横幅調整動力伝達機構は請求項１乃至１８の何れか一に記載の回転軸の横幅調整機構を備え、
該台形ネジ軸１を回転させることにより動力を並進運動として伝達する横幅調整動力伝達機構を備えることを特徴とする、
横幅調整動力伝達機構を備えた巻き取り機構。
【請求項２４】
ロール印刷に用いられる横幅調整動力伝達機構を備えた巻き取り機構であって、
該横幅調整動力伝達機構は請求項１乃至１８の何れか一に記載の回転軸の横幅調整機構を備え、
該台形ネジ軸１を回転させることにより動力を回転運動として伝達する横幅調整動力伝達機構を備えることを特徴とする、
横幅調整動力伝達機構を備えた巻き取り機構。
【請求項２５】
プリンターに用いられる横幅調整動力伝達機構を備えた送り機構であって、
該横幅調整動力伝達機構は請求項１乃至１８の何れか一に記載の回転軸の横幅調整機構を備え、
該台形ネジ軸１を回転させることにより動力を並進運動として伝達する横幅調整動力伝達機構を備えることを特徴とする、
横幅調整動力伝達機構を備えた送り機構。
【請求項２６】
板状物品のハンドリング工程に用いられる横幅調整動力伝達機構を備えた送り機構であって、
該横幅調整動力伝達機構は請求項１乃至１８の何れか一に記載の回転軸の横幅調整機構を備え、
該台形ネジ軸１を回転させることにより動力を並進運動として伝達する横幅調整動力伝達機構を備えることを特徴とする、
横幅調整動力伝達機構を備えた送り機構。
【請求項２７】
該板状物品は、
プラスチック板、木材板、合板、金属板、ガラス板或いはセラミック板の何れかであることを特徴とする、
請求項２６記載の横幅調整動力伝達機構を備えた送り機構。
【発明の詳細な説明】
【技術分野】
【０００１】  本発明は横幅調整機構、横幅調整動力伝達機構及びかかる機構を備えた巻き取り機構或いは送り機構に関するものである。
【背景技術】
【０００２】  農業用ビニールハウスに於いては、天候等に対応して随時ビニールシートを巻き上げ、或いは繰り出してハウス内の温度を調整する必要がある。また、ビニールの劣化や破損に対応してビニールを交換するために巻き取りを行う必要もあった。しかし、この巻き上げ／繰り出し或いは巻き取りのための動力伝達機構には横幅調整機構がないためフレキシブルなビニールハウスのサイズへの対応ができず負担となっていた。【０００３】  また、横幅調整動力伝達機構はビニールハウスのビニールだけではなく寒冷紗等の資材の巻き上げ／繰り出し或いは巻き取りにも求められていた。
【先行技術文献】
【特許文献】
【０００４】
【特許文献１】特開２００２−２８４４５３号公報
【特許文献２】特開平１１−２５５４８９号公報
【発明の概要】
【発明が解決しようとする課題】
【０００５】  従前、農業用ビニールハウスのビニールの巻き上げ／繰り出し或いは巻き取りのための動力伝達機構に於いて横幅調整機構を備えたものは存在しなかった。特許文献１はビニールハウス用ビニール交換マシンを開示しているが、横幅は一定であり、フレキシブルなビニールハウスのサイズへの対応はできなかった。【０００６】  特許文献２は台形ネジ軸とナットを組み合わせたネジ式昇降機構を開示しているが、横幅調整機構は備えていない。【０００７】  本発明は、これらの課題を解決し、簡便な構成で農業用ビニールハウス等に応用できる横幅調整機構を提供せんとするものである。本発明は農業用ビニールハウスのみならず、さまざまな巻き取り或いは送り機構の横幅調整機構として機能する。
【課題を解決するための手段】
【０００８】  本発明は、回転軸の横幅調整機構であって、回転運動と直線運動の変換のための台形ネジ軸１と、内径にネジ切りされた歯車２と、内径にネジ切りされていない歯車３と、円筒状でネジ切りされたかなめ４とを備え、内径にネジ切りされていない歯車３はかなめ４と離合する連結部５を備え、連結部がかなめ４と離合するように構成され、歯車２の位置によって規定される台形ネジ軸１の横幅位置を変更するために、かなめ４は歯車３を回転させることにより歯車２との位置関係を変更することが出来、かなめ４及び歯車３が歯車２と離間した状態で歯車２を回転させることにより歯車２の位置によって規定される台形ネジ軸１の横幅位置を調整することが出来、かなめ４が歯車２と密着した状態で歯車３を回転させることにより横幅位置を変更することなく台形ネジ軸１を回転させることが出来ることを特徴とする、回転軸の横幅調整機構である。【０００９】  また本発明は、回転軸の横幅調整機構であって、回転運動と直線運動の変換のための台形ネジ軸１と、内径にネジ切りされた歯車２と、内径にネジ切りされていない歯車３と、円筒状でネジ切りされたかなめ４とを備え、内径にネジ切りされていない歯車３はかなめ４と離合する連結部５を備え、連結部がかなめ４と離合するように構成され、歯車２の位置によって規定される台形ネジ軸１の横幅位置を変更するために、かなめ４は歯車３を回転させることにより歯車２との位置関係を変更することが出来、かなめ４及び歯車３が歯車２と離間した状態で歯車２を回転させることにより歯車２の位置によって規定される台形ネジ軸１の横幅位置を調整することが出来、かなめ４が歯車２と密着した状態で歯車３を回転させることにより横幅位置を変更することなく台形ネジ軸１を回転させる回転軸の横幅調整機構を、ひとつの台形ネジ軸１に嵌合して、位置関係が反転し且つ該歯車２が内側に来るように配設された２つの機構を備えることを特徴とする、回転軸の横幅調整機構である。【００１０】  また本発明は、台形ネジ軸１が、三角ネジ、角ネジ、台形ネジ或いはボールネジのいずれかであることを特徴とする。また本発明は、台形ネジ軸１が金属製又はプラスチック製であることを特徴とする。さらに本発明は、台形ネジ軸１がスチール製、ステンレス製或いは黄銅製であることを特徴とする。【００１１】  また本発明は、歯車２及び／又は歯車３が、平歯車、はすば歯車或いはやまば歯車のいずれかであることを特徴とする。また本発明は、歯車２及び／又は歯車３が、金属製又はプラスチック製であることを特徴とする。さらに本発明は、歯車２及び／又は歯車３が、機械構造用炭素鋼、機械構造用合金鋼、一般構造用圧延鋼材、ねずみ鋳鉄、球状黒鉛、ステンレス鋼、非鉄金属、ＭＣナイロン、ポリアセタール或いはＡＢＳ樹脂のいずれかにより構成されたことを特徴とする。【００１２】  また本発明は、歯車２及び／又は歯車３の内径が、該台形ネジ軸１に嵌合することを特徴とする。【００１３】  また本発明は、歯車２及び／又は歯車３への動力伝達機構が、歯車、ベルト・プーリ又はチェーン・スプロケットの何れかであることを特徴とする。さらに本発明は、歯車２及び／又は歯車３への動力伝達機構がベルト・プーリであって、ベルト・プーリに用いるベルトはタイミングベルト、丸ベルト或いはＶベルトの何れかであることを特徴とする。【００１４】  また本発明は、歯車３に備えられる連結部が柱状であることを特徴とし、さらに歯車３に備えられる連結部が円柱、三角柱、四角柱或いは六角柱であることを特徴とする。また本発明は、歯車３に備えられる連結部が複数備えられることを特徴とする。【００１５】  また本発明は、かなめ４が円形であることを特徴とする。また本発明は、かなめ４が金属製又はプラスチック製であることを特徴とする。さらに本発明は、かなめ４が機械構造用炭素鋼、機械構造用合金鋼、一般構造用圧延鋼材、ねずみ鋳鉄、球状黒鉛、ステンレス鋼、非鉄金属、ＭＣナイロン、ポリアセタール或いはＡＢＳ樹脂のいずれかにより構成されたことを特徴とする。【００１６】  また本発明は、歯車３に備えられる連結部が円筒に一部突出を備えた構造であり、かなめ４は外周部に歯車３に備えられる突出部に対応した凹部を備えることを特徴とする。【００１７】  また本発明は、横幅調整動力伝達機構であって、横幅調整動力伝達機構は前記の横幅調整機構を備え、該台形ネジ軸１を回転させることにより動力を回転運動として伝達することを特徴とする、横幅調整動力伝達機構である。【００１８】  また本発明は、横幅調整動力伝達機構を備えた巻き取り機構であって、横幅調整動力伝達機構は前記の回転軸の横幅調整機構を備え、台形ネジ軸１を回転させることにより動力を回転運動として伝達する横幅調整動力伝達機構を備えることを特徴とする、横幅調整動力伝達機構を備えた巻き取り機構である。【００１９】  また本発明は、農業用ビニールハウスに用いられる横幅調整動力伝達機構を備えた巻き取り機構であって、横幅調整動力伝達機構は前記の回転軸の横幅調整機構を備え、台形ネジ軸１を回転させることにより動力を回転運動として伝達する横幅調整動力伝達機構を備えることを特徴とする、横幅調整動力伝達機構を備えた巻き取り機構である。【００２０】  また本発明は、農業用寒冷紗の可動機構に用いられる横幅調整動力伝達機構を備えた巻き取り機構であって、横幅調整動力伝達機構は前記の回転軸の横幅調整機構を備え、台形ネジ軸１を回転させることにより動力を回転運動として伝達する横幅調整動力伝達機構を備えることを特徴とする、横幅調整動力伝達機構を備えた巻き取り機構である。【００２１】  また本発明は、製紙工程、金属圧延工程、織物製造工程或いはプラスチックフィルム製造工程に用いられる横幅調整動力伝達機構を備えた巻き取り機構であって、横幅調整動力伝達機構は前記の回転軸の横幅調整機構を備え、台形ネジ軸１を回転させることにより動力を並進運動として伝達する横幅調整動力伝達機構を備えることを特徴とする、横幅調整動力伝達機構を備えた巻き取り機構である。【００２２】  また本発明は、ロール印刷に用いられる横幅調整動力伝達機構を備えた巻き取り機構であって、横幅調整動力伝達機構は前記の回転軸の横幅調整機構を備え、台形ネジ軸１を回転させることにより動力を回転運動として伝達する横幅調整動力伝達機構を備えることを特徴とする、横幅調整動力伝達機構を備えた巻き取り機構である。【００２３】  また本発明は、プリ���ターに用いられる横幅調整動力伝達機構を備えた送り機構であって、横幅調整動力伝達機構は前記の回転軸の横幅調整機構を備え、台形ネジ軸１を回転させることにより動力を並進運動として伝達する横幅調整動力伝達機構を備えることを特徴とする、横幅調整動力伝達機構を備えた送り機構である。【００２４】  また本発明は、板状物品のハンドリング工程に用いられる横幅調整動力伝達機構を備えた送り機構であって、横幅調整動力伝達機構は前記の回転軸の横幅調整機構を備え、台形ネジ軸１を回転させることにより動力を並進運動として伝達する横幅調整動力伝達機構を備えることを特徴とする、横幅調整動力伝達機構を備えた送り機構である。さらに本発明は、該板状物品が、プラスチック板、木材板、合板、金属板、ガラス板或いはセラミック板の何れかであることを特徴とする。
【発明の効果】
【００２５】  本発明に係る横幅調整機構、横幅調整動力伝達機構、横幅調整動力伝達機構を備えた巻き取り機構及び横幅調整動力伝達機構を備えた送り機構は、簡便な構成で動力伝達機構の横幅変更が可能となり、農業用ビニールハウスのみならず、さまざまな巻き取り或いは送り機構の横幅調整機構として機能するという利点がある。
【図面の簡単な説明】
【００２６】
【図１】図１は、本発明にかかる横幅調整機構の構成を説明する図である。
【図２】図２は、内径にネジ切りされた歯車２の構成を示す図である。
【図３】図３は、内径にネジ切りされていない歯車３の構成を示す図である。
【図４】図４は、円筒状でネジ切りされたかなめ４の構成を示す図である。
【図５】図５は、かなめ４及び歯車３が歯車２と離間した状態で歯車２を回転させることにより歯車２の位置によって規定される台形ネジ軸１の横幅位置を調整する動作を説明するための図である。
【図６】図６は、かなめ４を移動させるために歯車３が歯車２と離間した状態で歯車３を回転させることにより歯車２とかなめ４の位置関係を調整する動作を説明するための図である。
【図７】図７は、かなめ４が歯車２と密着した状態で歯車３を回転させることにより横幅位置を変更することなく台形ネジ軸１を回転させることが出来る動作を説明するための図である。
【図８】図８は、本発明にかかる横幅調整動力伝達機構を農業用ビニールハウスのビニール巻き取り機構として応用するための構成の例を示す図である。
【図９】図９は、本発明にかかる横幅調整機構の実施の例を示す図面代用写真である。
【図１０】図１０は、内径にネジ切りされた歯車２の実施の例を示す図面代用写真である。
【図１１】図１１は、内径にネジ切りされていない歯車３の実施の例を示す図面代用写真である。
【図１２】図１２は、円筒状でネジ切りされたかなめ４の実施の例を示す図面代用写真である。
【発明を実施するための形態】
【００２７】  以下、本発明に係る横幅調整機構、横幅調整動力伝達機構、横幅調整動力伝達機構を備えた巻き取り機構及び横幅調整動力伝達機構を備えた送り機構を、図面を用いて説明する。
【００２８】  本発明は、回転軸の横幅調整機構であって、回転運動と直線運動の変換のための台形ネジ軸１と、内径にネジ切りされた歯車２と、内径にネジ切りされていない歯車３と、円筒状でネジ切りされたかなめ４とを備え、内径にネジ切りされていない歯車３はかなめ４と離合する連結部５を備え、連結部が該かなめ４と離合するように構成され、歯車２の位置によって規定される台形ネジ軸１の横幅位置を変更するために、かなめ４は歯車３を回転させることにより歯車２との位置関係を変更することが出来、かなめ４及び歯車３が歯車２と離間した状態で歯車２を回転させることにより歯車２の位置によって規定される台形ネジ軸１の横幅位置を調整することが出来、かなめ４が歯車２と密着した状態で歯車３を回転させることにより横幅位置を変更することなく台形ネジ軸１を回転させることが出来ることを特徴とする、回転軸の横幅調整機構である。
【００２９】  また本発明は、回転軸の横幅調整機構であって、回転運動と直線運動の変換のための台形ネジ軸１と、内径にネジ切りされた歯車２と、内径にネジ切りされていない歯車３と、円筒状でネジ切りされたかなめ４とを備え、該内径にネジ切りされていない歯車３はかなめ４と離合する連結部５を備え、連結部５がかなめ４と離合するように構成され、歯車２の位置によって規定される台形ネジ軸１の横幅位置を変更するために、かなめ４は歯車３を回転させることにより歯車２との位置関係を変更することが出来、かなめ４及び歯車３が歯車２と離間した状態で歯車２を回転させることにより歯車２の位置によって規定される台形ネジ軸１の横幅位置を調整することが出来、かなめ４が歯車２と密着した状態で歯車３を回転させることにより横幅位置を変更することなく台形ネジ軸１を回転させる回転軸の横幅調整機構を、ひとつの台形ネジ軸１に嵌合して位置関係が反転し且つ歯車２が内側に来るように配設された２つの機構を備えることを特徴とする、回転軸の横幅調整機構である。
【００３０】  また本発明は、台形ネジ軸１が、三角ネジ、角ネジ、台形ネジ或いはボールネジのいずれかであることを特徴とする。また本発明は、台形ネジ軸１が金属製又はプラスチック製であることを特徴とする。さらに本発明は、台形ネジ軸１がスチール製、ステンレス製或いは黄銅製であることを特徴とする。
【００３１】  また本発明は、歯車２及び／又は歯車３が、平歯車、はすば歯車或いはやまば歯車のいずれかであることを特徴とする。また本発明は、歯車２及び／又は歯車３が、金属製又はプラスチック製であることを特徴とする。さらに本発明は、歯車２及び／又は歯車３が、機械構造用炭素鋼、機械構造用合金鋼、一般構造用圧延鋼材、ねずみ鋳鉄、球状黒鉛、ステンレス鋼、非鉄金属、ＭＣナイロン、ポリアセタール或いはＡＢＳ樹脂のいずれかにより構成されたことを特徴とする。
【００３２】  また本発明は、歯車２及び／又は歯車３の内径が、台形ネジ軸１に嵌合することを特徴とする。
【００３３】  また本発明は、歯車２及び／又は歯車３への動力伝達機構が、歯車、ベルト・プーリ又はチェーン・スプロケットの何れかであることを特徴とする。さらに本発明は、歯車２及び／又は歯車３への動力伝達機構がベルト・プーリであって、該ベルト・プーリに用いるベルトはタイミングベルト、丸ベルト或いはＶベルトの何れかであることを特徴とする。
【００３４】  また本発明は、歯車３に備えられる連結部が柱状であることを特徴とし、さらに歯車３に備えられる連結部が円柱、三角柱、四角柱或いは六角柱であることを特徴とする。また本発明は、歯車３に備えられる連結部が複数備えられることを特徴とする。
【００３５】  また本発明は、かなめ４が円形であることを特徴とする。また本発明は、かなめ４が金属製又はプラスチック製であることを特徴とする。さらに本発明は、かなめ４が機械構造用炭素鋼、機械構造用合金鋼、一般構造用圧延鋼材、ねずみ鋳鉄、球状黒鉛、ステンレス鋼、非鉄金属、ＭＣナイロン、ポリアセタール或いはＡＢＳ樹脂のいずれかにより構成されたことを特徴とする。
【００３６】  また本発明は、歯車３に備えられる連結部が円筒に一部突出を備えた構造であり、かなめ４は外周部に歯車３に備えられる突出部に対応した凹部を備えることを特徴とする。
【００３７】  また本発明は、横幅調整動力伝達機構であって、横幅調整動力伝達機構は前記の回転軸の横幅調整機構を備え、台形ネジ軸１を回転させることにより動力を回転運動として伝達することを特徴とする、横幅調整動力伝達機構である。
【００３８】  また本発明は、横幅調整動力伝達機構を備えた巻き取り機構であって、横幅調整動力伝達機構は前記の回転軸の横幅調整機構を備え、台形ネジ軸１を回転させることにより動力を回転運動として伝達する横幅調整動力伝達機構を備えることを特徴とする、横幅調整動力伝達機構を備えた巻き取り機構である。
【００３９】  また本発明は、農業用ビニールハウスに用いられる横幅調整動力伝達機構を備えた巻き取り機構であって、横幅調整動力伝達機構は前記の回転軸の横幅調整機構を備え、台形ネジ軸１を回転させることにより動力を回転運動として伝達する横幅調整動力伝達機構を備えることを特徴とする、横幅調整動力伝達機構を備えた巻き取り機構である。
【００４０】  また本発明は、農業用寒冷紗の可動機構に用いられる横幅調整動力伝達機構を備えた巻き取り機構であって、横幅調整動力伝達機構は前記の回転軸の横幅調整機構を備え、台形ネジ軸１を回転させることにより動力を回転運動として伝達する横幅調整動力伝達機構を備えることを特徴とする、横幅調整動力伝達機構を備えた巻き取り機構である。
【００４１】  また本発明は、製紙工程、金属圧延工程、織物製造工程或いはプラスチックフィルム製造工程に用いられる横幅調整動力伝達機構を備えた巻き取り機構であって、横幅調整動力伝達機構は前記の回転軸の横幅調整機構を備え、台形ネジ軸１を回転させることにより動力を並進運動として伝達する横幅調整動力伝達機構を備えることを特徴とする、横幅調整動力伝達機構を備えた巻き取り機構である。
【００４２】  また本発明は、ロール印刷に用いられる横幅調整動力伝達機構を備えた巻き取り機構であって、横幅調整動力伝達機構は前記の回転軸の横幅調整機構を備え、台形ネジ軸１を回転させることにより動力を回転運動として伝達する横幅調整動力伝達機構を備えることを特徴とする、横幅調整動力伝達機構を備えた巻き取り機構である。
【００４３】  また本発明は、プリンターに用いられる横幅調整動力伝達機構を備えた送り機構であって、横幅調整動力伝達機構は前記の回転軸の横幅調整機構を備え、台形ネジ軸１を回転させることにより動力を並進運動として伝達する横幅調整動力伝達機構を備えることを特徴とする、横幅調整動力伝達機構を備えた送り機構である。
【００４４】  また本発明は、板状物品のハンドリング工程に用いられる横幅調整動力伝達機構を備えた送り機構であって、横幅調整動力伝達機構は前記の回転軸の横幅調整機構を備え、台形ネジ軸１を回転させることにより動力を並進運動として伝達する横幅調整動力伝達機構を備えることを特徴とする、横幅調整動力伝達機構を備えた送り機構である。さらに本発明は、板状物品が、プラスチック板、木材板、合板、金属板、ガラス板或いはセラミック板の何れかであることを特徴とする。
【実施例１】
【００４５】  図１は、本発明に係る横幅調整機構の構成を説明する図である。また、図９は、本発明にかかる横幅調整機構の実施の例を示す図面代用写真である。本実施例の構成は、回転運動と直線運動の変換のための台形ネジ軸１と、内径にネジ切りされた歯車２と、内径にネジ切りされていない歯車３と、円筒状でネジ切りされたかなめ４とを備え、該内径にネジ切りされていない歯車３は該かなめ４と離合する連結部５を備える。【００４６】  連結部がかなめ４と離合するように構成され、歯車２の位置によって規定される台形ネジ軸１の横幅位置を変更するために、かなめ４は歯車３を回転させることにより歯車２との位置関係を変更することが出来、かなめ４及び歯車３が歯車２と離間した状態で歯車２を回転させることにより歯車２の位置によって規定される台形ネジ軸１の横幅位置を調整することが出来、かなめ４が歯車２と密着した状態で歯車３を回転させることにより横幅位置を変更することなく台形ネジ軸１を回転させることが出来る。【００４７】  本実施例においては、台形ネジ軸１にスチール製のネジ軸を用いた。ここで、台形ネジ軸１としては、三角ネジ、角ネジ、台形ネジ或いはボールネジのいずれかが好適に用いられる。また、材質としては金属又はプラスチックが好適に用いられ、特にスチール製、ステンレス製或いは黄銅製のものが好ましい。【００４８】  図２は、内径にネジ切りされた歯車２の構成を示す図である。また、図１０は、内径にネジ切りされた歯車２の実施の例を示す図面代用写真である。本実施例においては、歯車２に平歯車を用いた。また、材質としてはＡＢＳ樹脂製を用いた。さらに、図３は、内径にネジ切りされていない歯車３の構成を示す図である。また、図１１は、内径にネジ切りされていない歯車３の実施の例を示す図面代用写真である。本実施例においては、歯車３に平歯車を用いた。また、材質としては構造用炭素鋼製を用いた。ここで、歯車２又は歯車３には平歯車、はすば歯車或いはやまば歯車のいずれかが好適に用いられる。また、材質としては金属又はプラスチックが好適に用いられ、特に、機械構造用炭素鋼、機械構造用合金鋼、一般構造用圧延鋼材、ねずみ鋳鉄、球状黒鉛、ステンレス鋼、非鉄金属、ＭＣナイロン、ポリアセタール或いはＡＢＳ樹脂のいずれかを用いることが好ましい。歯車２及び歯車３の内径は、台形ネジ軸１に嵌合する。【００４９】  本実施例においては、歯車２及び歯車３への動力伝達機構として歯車を用いた。ここで、動力伝達機構としては、歯車、ベルト・プーリ又はチェーン・スプロケットの何れかが好適に用いられる。動力伝達機構がベルト・プーリである場合には、ベルト・プーリに用いるベルトはタイミングベルト、丸ベルト或いはＶベルトの何れかが好適に用いられる。【００５０】  本実施例においては、歯車３に備えられる連結部を円柱状で構成した。ここで、歯車３に備えられる連結部は柱状が好適に使用でき、さらに歯車３に備えられる連結部は円柱、三角柱、四角柱或いは六角柱であることが好ましい。また、歯車３に備えられる連結部は複数備えられることが好ましい。【００５１】  図４は、円筒状でネジ切りされたかなめ４の構成を示す図である。また、図１２は、円筒状でネジ切り���れたかなめ４の実施の例を示す図面代用写真である。本実施例においては、かなめ４が円形のものを用いた。また、材質としてはＡＢＳ樹脂製を用いた。ここで、材質としては金属又はプラスチックが好適に用いられ、特にス機械構造用炭素鋼、機械構造用合金鋼、一般構造用圧延鋼材、ねずみ鋳鉄、球状黒鉛、ステンレス鋼、非鉄金属、ＭＣナイロン、ポリアセタール或いはＡＢＳ樹脂のものが好ましい。【００５２】  ここで、歯車３に備えられる連結部が円筒に一部突出を備えた構造であり、かなめ４は外周部に歯車３に備えられる突出部に対応した凹部を備えるようにしてもよい。【００５３】  このような構成とすることによって、連結部５がかなめ４と離合するように構成され、歯車２の位置によって規定される台形ネジ軸１の横幅位置を変更するために、かなめ４は歯車３を回転させることにより歯車２との位置関係を変更することが出来、かなめ４及び歯車３が歯車２と離間した状態で歯車２を回転させることにより歯車２の位置によって規定される台形ネジ軸１の横幅位置を調整することが出来、かなめ４が歯車２と密着した状態で歯車３を回転させることにより横幅位置を変更することなく台形ネジ軸１を回転させることが出来る。【００５４】  図５は、かなめ４及び歯車３が歯車２と離間した状態で歯車２を回転させることにより歯車２の位置によって規定される台形ネジ軸１の横幅位置を調整する動作を説明するための図である。この場合、歯車２を回転方向を示す矢印６の方向に回転すると、歯車３は歯車２と同方向に回転し、かなめ４の位置関係は不変のままである。かなめ４及び歯車３が歯車２と離間した状態で歯車２を回転させることにより台形ネジ軸１を移動させることが出来、結局、歯車２の内側位置により規定される台形ネジ軸１の横幅を変更することが出来る。【００５５】  図６は、かなめ４を移動させるために歯車３が歯車２と離間した状態で歯車３を回転させることにより歯車２とかなめ４の位置関係を調整する動作を説明するための図である。かなめ４及び歯車３が歯車２と離間した状態で歯車３を回転させることによりかなめ４と歯車２の位置関係を変更することが出来る。次の、横幅位置を変更することなく台形ネジ軸１を回転させることが出来る動作を実現するためには、本図においてかなめ４を歯車２に密着するまで移動させれば良い。【００５６】  図７は、かなめ４が歯車２と密着した状態で歯車３を回転させることにより横幅位置を変更することなく台形ネジ軸１を回転させることが出来る動作を説明するための図である。このようにかなめ４が歯車２と密着した状態で歯車３を回転させると、歯車２内側位置により規定される台形ネジ軸１の横幅を変えることなく台形ネジ軸１を回転させ、駆動力を伝達することが出来る。
【実施例２】
【００５７】  図８は、本発明にかかる横幅調整動力伝達機構を農業用ビニールハウスのビニール巻き取り機構として応用するための構成の例を示す図である。このように、回転運動と直線運動の変換のための台形ネジ軸１と、内径にネジ切りされた歯車２と、内径にネジ切りされていない歯車３と、円筒状でネジ切りされたかなめ４とを備え、内径にネジ切りされていない歯車３は該かなめ４と離合する連結部５を備え、連結部５がかなめ４と離合するように構成され、該歯車２の位置によって規定される台形ネジ軸１の横幅位置を変更するために、かなめ４は歯車３を回転させることにより歯車２との位置関係を変更することが出来、かなめ４及び歯車３が歯車２と離間した状態で歯車２を回転させることにより歯車２の位置によって規定される台形ネジ軸１の横幅位置を調整することが出来、かなめ４が歯車２と密着した状態で歯車３を回転させることにより横幅位置を変更することなく台形ネジ軸１を回転させる回転軸の横幅調整機構を、ひとつの台形ネジ軸１に嵌合して、位置関係が反転し且つ該歯車２が内側に来るように配設された２つの機構を備えることにより、横幅調整動力伝達機構を農業用ビニールハウスのビニール巻き取り機構として好適な装置を構成することが出来た。【００５８】  ここで、本発明にかかる横幅調整動力伝達機構を農業用ビニールハウスのビニール巻き取り機構として応用するための構成としては、台形ネジ軸上の一端は固定され、片側にのみ本発明にかかる横幅調整機構を備えるようにしても良い。【００５９】  ここで、本発明は、農業用寒冷紗の可動機構に用いられる横幅調整動力伝達機構を備えた巻き取り機構としても好適に応用できる。また本発明は、製紙工程、金属圧延工程、織物製造工程或いはプラスチックフィルム製造工程に用いられる横幅調整動力伝達機構を備えた巻き取り機構としても好適に応用できる。また本発明は、ロール印刷に用いられる横幅調整動力伝達機構を備えた巻き取り機構としても好適に応用できる。また本発明は、プリンターに用いられる横幅調整動力伝達機構を備えた送り機構としても好適に応用できる。また本発明は、板状物品のハンドリング工程に用いられる横幅調整動力伝達機構を備えた送り機構としても好適に応用でき、板状物品が、プラスチック板、木材板、合板、金属板、ガラス板或いはセラミック板の何れかに於いて好適に応用できる。
【産業上の利用可能性】
【００６０】  本発明に係る横幅調整機構、横幅調整動力伝達機構、横幅調整動力伝達機構を備えた巻き取り機構及び横幅調整動力伝達機構を備えた送り機構は、簡便な構成で動力伝達機構の横幅変更が可能となり、農業用ビニールハウスをはじめとして、さまざまな巻き取り或いは送り機構の横幅調整機構として機能し、産業上の利用可能性は大であると言える。
【符号の説明】
【００６１】１  台形ネジ軸
２  内径にネジ切りされた歯車
３  内径にネジ切りされていない歯車
４  かなめ
５  連結部
６  回転方向を示す矢印
【図１】
2018194010.tif 000003
【図２】
2018194010.tif 000004
【図３】
2018194010.tif 000005
【図４】
2018194010.tif 000006
【図５】
2018194010.tif 000007
【図６】
2018194010.tif 000008
【図７】
2018194010.tif 000009
【図８】
2018194010.tif 000010
【図９】
2018194010.tif 000011
【図１０】
2018194010.tif 000012
【図１１】
2018194010.tif 000013
【図１２】
2018194010.tif 000014